(57)【要約】【課題】原水の水質に変動が生じた場合に、逆洗浄モードの実施頻度を調整することや順洗浄モードの実施頻度を調整することについて、複数の膜濾過装置を遠隔制御することにより、複数の膜濾過装置を総合的に管理する。【解決手段】同一水源４から導入される原水Ｗ１から透過水を処理水Ｗ２として分離する複数の膜濾過装置２ａ〜２ｃを備え、遠隔制御部５１は、分析データ格納部５２に格納された汚濁物質濃度の増加に伴って複数の膜濾過装置２ａ〜２ｃの水透過係数が低下傾向にある場合に、管理対象となる複数の膜濾過装置２ａ〜２ｃそれぞれにおける水透過係数と、汚濁物質濃度に係る分析データの近時情報とに基づいて、複数の膜濾過装置２ａ〜２ｃそれぞれに対し、逆洗浄モードの実施頻度を増加させるように、及び／又は、順洗浄モードの実施頻度を増加させるように、遠隔制御により設定変更する。【選択図】図１
2015231607.tif 000002
【特許請求の範囲】
【請求項１】
同一水源の地域内に設置され、前記同一水源から原水を膜モジュールに導入することで原水から透過水を処理水として分離する複数の膜濾過装置と、
前記複数の膜濾過装置から地理的に離間した遠隔地に配置され、前記複数の膜濾過装置と通信可能に接続され、遠隔地から通信により前記複数の膜濾過装置を遠隔制御する遠隔制御部と、
取得された前記複数の膜濾過装置に導入される原水の汚濁物質濃度の分析データを格納する分析データ格納部と、を備え、
前記遠隔制御部は、前記分析データ格納部に格納された汚濁物質濃度の増加に伴って前記複数の膜濾過装置の水透過係数が低下傾向にある場合に、管理対象となる前記複数の膜濾過装置それぞれにおける前記水透過係数と、汚濁物質濃度に係る前記分析データの近時情報とに基づいて、前記複数の膜濾過装置それぞれに対し、前記膜モジュールの一次側を逆洗浄する逆洗浄モードの実施頻度を増加させるように、及び／又は、前記膜モジュールの一次側を順洗浄する順洗浄モードの実施頻度を増加させるように、遠隔制御により設定変更する、
膜濾過装置の遠隔管理制御システム。
【請求項２】
前記遠隔制御部は、前記分析データ格納部に格納された汚濁物質濃度の増加に伴って前記複数の膜濾過装置のうちの一群の膜濾過装置のみの前記水透過係数が低下傾向にある場合に、前記低下傾向にある前記膜濾過装置に係る異常を報知するように制御する、
請求項１に記載の膜濾過装置の遠隔管理制御システム。
【発明の詳細な説明】
【技術分野】
【０００１】
本発明は、同一水源の地域内に設置される複数の膜濾過装置を遠隔制御する膜濾過装置の遠隔管理制御システムに関する。
【背景技術】
【０００２】
従来、複数の水処理装置と、複数の水処理装置と通信可能に接続されて複数の水処理装置を遠隔で監視制御する遠隔監視制御装置と、を備える遠隔監視制御システムが知られている（例えば、特許文献１参照）。特許文献１に記載の遠隔監視制御システムにおいては、複数の水処理装置から取得した監視情報の分析結果に基づいて、この監視情報の取得元の水処理装置と同じ水処理装置や、この監視情報の取得元の水処理装置と異なる水処理装置に対して、統括的な遠隔監視制御を行うことができるとされている。
特許文献１に記載の遠隔監視制御システムにおいては、複数の水処理装置は、工場から排出される廃水を濾過（処理）するものである。
【先行技術文献】
【特許文献】
【０００３】
【特許文献１】特許第５２５９４６７号公報
【発明の概要】
【発明が解決しようとする課題】
【０００４】
水処理装置が膜濾過装置の場合には、膜濾過装置は、地下水等の原水に含まれる汚濁物質（例えば、微粒子、溶存鉄の酸化析出物等の懸濁物質）を膜モジュールにより捕捉して処理水を製造する。このような膜濾過装置は、処理水を製造するにつれて除濁膜の表面でケーキ層（汚濁物質の堆積層）が成長し、通水抵抗が増加する。そのため、膜モジュールの閉塞を抑制して濾過性能を維持するため、膜モジュールの一次側を逆洗浄する逆洗浄モードや、膜モジュールの一次側を順洗浄（フラッシング）する順洗浄モードや、その他の洗浄モード（例えば、薬品洗浄）などの洗浄操作を定期的に実行する。これらの洗浄操作の頻度の増減は、所要の処理水の透過流束を確保する上で重要な管理項目の一つである。。また、膜濾過装置における膜モジュールの閉塞の度合は、濾過処理時の通水流量の設定範囲や、膜濾過装置に導入される原水の水質によっても異なる。
【０００５】
そのため、複数の膜濾過装置を備える構成において、複数の膜濾過装置に導入される原水の水質に変動が生じた場合に、逆洗浄モードの実施頻度や順洗浄モードの実施頻度を調整する操作が適時行われることが好ましい。そして、複数の膜濾過装置において、各洗浄モードの実施頻度を調整することについて、遠隔地から遠隔制御できれば、複数の膜濾過装置を総合的に管理することができるため、非常に有用である。
従って、複数の膜濾過装置を備える構成において、原水の水質に変動が生じた場合に、逆洗浄モードの実施頻度を調整することや順洗浄モードの実施頻度を調整することについて、複数の膜濾過装置を遠隔制御して、膜濾過装置を総合的に管理することが望まれる。
【０００６】
本発明は、原水の水質に変動が生じた場合に、逆洗浄モードの実施頻度を調整することや順洗浄モードの実施頻度を調整することについて、複数の膜濾過装置を遠隔制御することにより、複数の膜濾過装置を総合的に管理することができる膜濾過装置の遠隔管理制御システムを提供することを目的とする。
【課題を解決するための手段】
【０００７】
本発明は、同一水源の地域内に設置され、前記同一水源から原水を膜モジュールに導入することで原水から透過水を処理水として分離する複数の膜濾過装置と、前記複数の膜濾過装置から地理的に離間した遠隔地に配置され、前記複数の膜濾過装置と通信可能に接続され、遠隔地から通信により前記複数の膜濾過装置を遠隔制御する遠隔制御部と、取得された前記複数の膜濾過装置に導入される原水の汚濁物質濃度の分析データを格納する分析データ格納部と、を備え、前記遠隔制御部は、前記分析データ格納部に格納された汚濁物質濃度の増加に伴って前記複数の膜濾過装置の水透過係数が低下傾向にある場合に、管理対象となる前記複数の膜濾過装置それぞれにおける前記水透過係数と、汚濁物質濃度に係る前記分析データの近時情報とに基づいて、前記複数の膜濾過装置それぞれに対し、前記膜モジュールの一次側を逆洗浄する逆洗浄モードの実施頻度を増加させるように、及び／又は、前記膜モジュールの一次側を順洗浄する順洗浄モードの実施頻度を増加させるように、遠隔制御により設定変更する、膜濾過装置の遠隔管理制御システムに関する。
【０００８】
また、前記遠隔制御部は、前記分析データ格納部に格納された汚濁物質濃度の増加に伴って前記複数の膜濾過装置のうちの一群の膜濾過装置のみの前記水透過係数が低下傾向にある場合に、前記低下傾向にある前記膜濾過装置に係る異常を報知するように制御する、ことが好ましい。
【発明の効果】
【０００９】
本発明によれば、原水の水質に変動が生じた場合に、逆洗浄モードの実施頻度を調整することや順洗浄モードの実施頻度を調整することについて、複数の膜濾過装置を遠隔制御することにより、複数の膜濾過装置を総合的に管理することができる膜濾過装置の遠隔管理制御システムを提供することができる。
【図面の簡単な説明】
【００１０】
【図１】本発明の一実施形態に係る膜濾過装置の遠隔管理制御システム１の全体構成図である。
【図２】本実施形態の膜濾過装置の遠隔管理制御システム１の制御に係る機能ブロック図である。
【図３】本実施形態の膜濾過装置の遠隔管理制御システム１の第１動作例の処理手順を示すフローチャートである。
【図４】本実施形態の膜濾過装置の遠隔管理制御システム１の第２動作例の処理手順を示すフローチャートである。
【図５】本実施形態の膜濾過装置の遠隔管理制御システム１の第３動作例の処理手順を示すフローチャートである。
【発明を実施するための形態】
【００１１】
以下、本発明の膜濾過装置の遠隔管理制御システム１の一実施形態について、図面を参照しながら説明する。図１は、本発明の膜濾過装置の遠隔管理制御システム１の全体構成図である。図２は、本実施形態の膜濾過装置の遠隔管理制御システム１の制御に係る機能ブロック図である。
【００１２】
図１に示すように、本実施形態の膜濾過装置の遠隔管理制御システム１は、ネットワーク３を介して、遠隔地から通信により複数の膜濾過装置２ａ〜２ｃを遠隔制御する。ネットワーク３は、有線通信又は無線通信による広域の通信網である。
【００１３】
膜濾過装置の遠隔管理制御システム１は、水源４と、複数の膜濾過装置２ａ〜２ｃと、遠隔制御装置５と、複数の原水ラインＬ１ａ〜Ｌ１ｃと、複数の処理水ラインＬ２ａ〜Ｌ２ｃと、複数の濃縮水導出ラインＬ３ａ〜Ｌ３ｃと、複数の濃縮水リターンラインＬ３１ａ〜Ｌ３１ｃと、複数の濃縮水排出ラインＬ３２ａ〜Ｌ３２ｃと、複数の比例制御弁１０ａ〜１０ｃと、を備える。「ライン」とは、流路、経路、管路等の流体の流通が可能なラインの総称である。
【００１４】
複数の膜濾過装置２ａ〜２ｃは、同一の水源４の地域内に設置される。同一の水源４の地域内とは、同一の水源４からの原水Ｗ１を供給可能な地域内をいう。同一の水源４の地域内に設置される複数の膜濾過装置２ａ〜２ｃには、例えば、同一会社における地理的に離間した異なる事業所や離間した敷地内に設置される複数の膜濾過装置や、地理的に離間した地域において複数のユーザに使用される複数の膜濾過装置や、別会社における地理的に離間した地域に設置される複数の膜濾過装置が含まれる。なお、複数の膜濾過装置２ａ〜２ｃは、全てが離間して設置されていなくてもよく、一部又は全部が近くに設置されていてもよい。
【００１５】
膜濾過装置２ａは、例えば、ユーザＸの使用する膜濾過装置である。膜濾過装置２ｂは、例えば、ユーザＹの使用する膜濾過装置である。膜濾過装置２ｃは、例えば、ユーザＺの使用する膜濾過装置である。なお、複数の膜濾過装置２ａ〜２ｃを使用するユーザは、これに限定されず、例えば、膜濾過装置２ａ及び２ｂがユーザＸの使用する膜濾過装置であってもよく、膜濾過装置２ｃがユーザＹの使用する膜濾過装置であってもよい。この場合において、例えば、ユーザＸの使用する膜濾過装置２ａ及び２ｂが近接した位置に設置され、ユーザＹの使用する膜濾過装置２ｃがユーザＸの使用する膜濾過装置２ａ及び２ｂから地理的に離間した位置に設置されてもよい。
【００１６】
複数の膜濾過装置２ａ〜２ｃは、それぞれ、加圧ポンプ２１ａ〜２１ｃと、膜モジュール２２ａ〜２２ｃと、膜濾過制御部２３ａ〜２３ｃと、不図示のコントロールバルブ（流路切替弁）と、を備える。複数の膜濾過装置２ａ〜２ｃそれぞれには、原水ラインＬ１ａ〜Ｌ１ｃを介して、同一水源４（例えば、井戸，河川，貯水池等）から、原水Ｗ１が供給される。一般的な原水ラインＬ１ａ〜Ｌ１ｃは、地方自治体や地方公共団体等が敷設・管理する水道管網（例えば、工業用水道や上水道等）と、各ユーザが敷設・管理する給水管路とから構成されている。原水ラインＬ１ａ〜Ｌ１ｃは、上流側において水源４に接続されており、下流側において複数の膜濾過装置２ａ〜２ｃそれぞれに接続されている。
【００１７】
複数の膜濾過装置２ａ〜２ｃそれぞれは、同一水源４から原水Ｗ１を膜モジュール２２ａ〜２２ｃに導入することで、原水Ｗ１に含まれる汚濁物質を除去して、原水Ｗ１から透過水を処理水Ｗ２ａ〜Ｗ２ｃとして分離する。複数の膜濾過装置２ａ〜２ｃそれぞれは、製造された処理水Ｗ２ａ〜Ｗ２ｃを、処理水ラインＬ２ａ〜Ｌ２ｃを介して、需要箇所へ供給する。処理水ラインＬ２ａ〜Ｌ２ｃは、上流側において複数の膜濾過装置２ａ〜２ｃそれぞれに接続されており、下流側において需要箇所に接続されている。汚濁物質としては、濁質（例えば、微粒子、溶存鉄の酸化析出物等の懸濁物質）や、全有機物炭素（以下「ＴＯＣ」ともいう）として把握される有機物が挙げられる。
【００１８】
なお、以下の説明において、複数又は単数を区別する必要がない場合には、複数の膜濾過装置２ａ〜２ｃ、複数の加圧ポンプ２１ａ〜２１ｃ、複数の膜モジュール２２ａ〜２２ｃ、複数の膜濾過制御部２３ａ〜２３ｃ、処理水Ｗ２ａ〜２ｃ、洗浄排水Ｗ３ａ〜Ｗ３ｃの識別記号である「ａ」、「ｂ」、「ｃ」については省略して、単に「膜濾過装置２」、「加圧ポンプ２１」、「膜モジュール２２」及び「膜濾過制御部２３」及び「処理水Ｗ２」、「洗浄排水Ｗ３」と記載する。
【００１９】
膜濾過装置２ａ〜２ｃは、前述の通り、それぞれ、上流側に設けられる加圧ポンプ２１ａ〜２１ｃと、下流側に設けられる膜モジュール２２ａ〜２２ｃとにより構成される。
【００２０】
膜モジュール２２は、加圧ポンプ２１により圧送された原水Ｗ１から、汚濁物質が除去された処理水Ｗ２を製造する。膜モジュール２２は、例えば、ポリフッ化ビニリデン（ＰＶＤＦ）製の中空糸膜の束をベッセル内に収容し、ベッセル両端部においてベッセル内周面と中空糸膜外周面との間に封止剤を充填して形成される。膜モジュール２２は、外圧式又は内圧式のいずれでも使用できるが、中空糸内部が閉塞しにくい外圧式が好ましい。また、濾過方式としては、全量濾過方式又はクロスフロー濾過方式のいずれでもよい。一般に、全量濾過方式は、濾過操作時のエネルギー消費量が少ないが、ケーキ層の成長が速いため、逆洗浄の実施間隔や順洗浄（フラッシング）の実施間隔を短くする必要がある。これに対し、クロスフロー濾過方式は、濾過操作時の水循環のためにエネルギー消費量が多いが、ケーキ層の成長が緩やかなため、逆洗浄の実施間隔や順洗浄の実施間隔を延ばすことができる。
【００２１】
膜モジュール２２に組み込まれる中空糸膜には、逆浸透膜（「ＲＯ膜」ともいう）よりも細孔が粗い膜が用いられる。除濁膜モジュールとして、限外濾過膜を有するＵＦ膜モジュールや、精密濾過膜を有するＭＦ膜モジュール等を適用することができる。前者としては、東レ社製のＨＦＵシリーズ、後者としては、東レ社製のＨＦＳシリーズ等の市販品を好適に用いることができる。なお、本実施形態においては、膜モジュール２２を全量濾過方式の外圧式ＵＦ膜モジュールとして、以降の装置構成や動作等を説明する。
【００２２】
加圧ポンプ２１は、水源４から供給される原水Ｗ１を加圧し、膜モジュール２２に送出する。ここで、膜モジュール２２からの処理水Ｗ２の流量を検出する流量センサ（図示せず）と、加圧ポンプ２１の回転数を駆動周波数に応じて可変させるインバータ（図示せず）と、流量センサからの流量検知信号に基づいて、インバータへ指令信号を出力する流量制御部２３２（図２参照、後述）とを備えることが好ましい。この構成によれば、流量センサにより検出される処理水Ｗ２の流量に基づくフィードバック制御により、処理水Ｗ２の流量を一定に維持するように制御を行うことができる。
【００２３】
これにより、膜表面でのケーキ層の成長と共に、膜間の通水抵抗が増加しても、加圧ポンプ２１の回転数が流量制御部２３２により自動的に調整されて、処理水Ｗ２の流量を一定に制御することができる。
【００２４】
この膜濾過装置の遠隔管理制御システム１によれば、同一水源４から供給された原水Ｗ１は、原水ラインＬ１を介して膜濾過装置２に送出される。膜濾過装置２に流入した原水Ｗ１は、膜濾過装置２により最終的に浄化された処理水Ｗ２となる。処理水Ｗ２は、処理水ラインＬ２を介して需要箇所へ供給される。濾過操作の継続により膜表面で成長したケーキ層（汚濁物質の堆積層）は、逆洗浄モードの実施、或いは順洗浄モードの実施により剥離され、洗浄排水Ｗ３と共に排水ラインＬ３を介して系外に排出される。
【００２５】
膜濾過装置２の周辺には、処理水Ｗ２が流通可能な処理水ラインＬ２と、洗浄排水Ｗ３を系外へ排出する排水ラインＬ３と、逆洗水Ｗ４（処理水Ｗ２）を膜モジュール２２に供給する逆洗水ラインＬ４と、が設けられている。
【００２６】
処理水ラインＬ２は、ＵＦ膜を透過した処理水Ｗ２を装置外へ導出するラインである。処理水ラインＬ２は、膜モジュール２２に接続され、膜モジュール２２により製造された処理水Ｗ２を需要箇所へ供給（導出）する。なお、処理水Ｗ２の一部は、逆洗水タンク（不図示）に貯留されるようになっており、この貯留された処理水Ｗ２が逆洗水Ｗ４（後述）として利用される。
【００２７】
逆洗水ラインＬ４は、逆洗浄モードにおいて、逆洗水Ｗ４としての処理水Ｗ２を膜モジュール２２の二次側へ供給するラインである。逆洗水ラインＬ４の下流側の端部は、接続部Ｊ５において処理水ラインＬ２に接続されている。なお、逆洗水ラインＬ４には、逆洗水タンク（不図示）から逆洗水Ｗ４（処理水Ｗ２）を圧送するための逆洗用ポンプ２０が設けられている。
【００２８】
排水ラインＬ３は、逆洗浄モード及び順洗浄モードで発生した洗浄排水Ｗ３が流通するラインである。排水ラインＬ３は、膜モジュール２２の一次側に接続され、懸濁物質を含む洗浄排水Ｗ３を系外に排出する。排水ラインＬ３の途中には、排水バルブ１０が設けられている。排水バルブ１０は、例えば電動弁からなり、遠隔制御部５１の制御により、排水ラインＬ３を開閉するように構成されている。
【００２９】
複数の膜濾過装置２ａ〜２ｃは、それぞれ、コントロールバルブ（不図示）を切り替えることで、同一水源４から原水Ｗ１を膜モジュール２２ａ〜２２ｃに導入することで原水Ｗ１に含まれる汚濁物質を除去して処理水Ｗ２ａ〜Ｗ２ｃを製造する水処理プロセスと、内部の膜モジュール２２ａ〜２２ｃの一次側を洗浄する洗浄プロセス（逆洗浄モード及び／又は順洗浄モード）と、を実行可能である。
【００３０】
洗浄プロセスの逆洗浄モードにおいては、逆洗水Ｗ４（処理水Ｗ２）が膜モジュール２２に組み込まれた中空糸膜の内側から外側に向かって通過するように流される。具体的には、原水ラインＬ１及び接続部Ｊ５の下流側の処理水ラインＬ２に設けられた所定のバルブ機構が閉鎖されると共に、排水バルブ１０が開放され、逆洗用ポンプ２０が逆洗水Ｗ４（処理水Ｗ２）を圧送するように操作される。これにより、中空糸膜の外側表面で成長したケーキ層が剥離される。洗浄後の洗浄排水Ｗ３は、排水ラインＬ３を介して、系外に排出される。中空糸膜の逆洗浄の後は、除濁膜モジュール２２の一次側内に残留する洗浄排水Ｗ３が放水され、原水Ｗ１が導入される。逆洗浄モードは、原水Ｗ１の水質に応じて、例えば、３０分から１時間に１回の頻度で実行される。
【００３１】
洗浄プロセスの順洗浄モードにおいては、原水Ｗ１が膜モジュール２２に組み込まれた中空糸膜の外側表面を高流速で流通するように流される。具体的には、逆洗水ラインＬ４及び接続部Ｊ５の下流側の処理水ラインＬ２に設けられた所定のバルブ機構が閉鎖されると共に、排水バルブ１０が開放され、加圧ポンプ２１が原水Ｗ１を水処理プロセスよりも高い流量で圧送するように操作される。これにより、中空糸膜の外側表面で成長したケーキ層が洗い流される。洗浄後の洗浄排水Ｗ３は、排水ラインＬ３を介して、系外に排出される。順洗浄モードは、原水Ｗ１の水質に応じて、例えば、５分から１０分に１回の頻度で実行される。
【００３２】
なお、複数の膜濾過装置２ａ〜２ｃにおいて、逆洗浄モード及び順洗浄モードの実行は、いずれか一方のみが実行されるように設定されていてもよいし、両方が実行されるように設定されていてもよい。逆洗浄モード及び順洗浄モードの両方を実行する場合には、順洗浄モードの実行が所定回数（例えば、２〜５回）に達するごとに、逆洗浄モードを１回実行させるように操作する。
【００３３】
膜濾過制御部２３は、図２に示すように、プロセス実行部２３１と、流量制御部２３２と、を有する。
プロセス実行部２３１は、膜濾過装置２に設けられる不図示のコントロールバルブの開閉を制御することにより、水処理プロセス並びに洗浄プロセス（逆洗浄モード及び／又は順洗浄モード）を実行する。
【００３４】
プロセス実行部２３１は、洗浄プロセスの実施タイミング制御に関し、流量洗浄、時間洗浄又は周期洗浄を実行可能である。プロセス実行部２３１の洗浄プロセスにおいて実行される流量洗浄は、膜濾過装置２に流入する原水Ｗ１の積算通水流量が予め設定された上限通水量に達した場合に、実行される。プロセス実行部２３１の洗浄プロセスにおいて実行される時間洗浄は、膜濾過装置２に流入する原水Ｗ１の積算通水時間が予め設定された上限通水時間に達した場合に、実行される。プロセス実行部２３１の洗浄プロセスにおいて実行される周期洗浄は、不図示のタイマー部により計時された経過日数が予め設定された周期日数になった場合に、実行される。
洗浄プロセスの実施頻度（すなわち、流量洗浄における上限通水量、時間洗浄における上限通水時間及び周期洗浄における周期日数）の頻度は、予め設定されており、原水Ｗ１の水質や膜濾過装置２の水透過係数に応じて、後述する遠隔制御装置５の遠隔制御部５１により設定変更される。
【００３５】
流量制御部２３２は、加圧ポンプ２１の駆動周波数を演算し、当該駆動周波数の演算値に対応する周波数指定信号（電流値信号又は電圧値信号）をインバータ（不図示）に出力する。
【００３６】
遠隔制御装置５は、複数の膜濾過装置２ａ〜２ｃを遠隔制御する。遠隔制御装置５は、遠隔制御部５１と、分析データ格納部５２と、を有する。
分析データ格納部５２は、取得された複数の膜濾過装置２ａ〜２ｃに導入される原水Ｗ１の汚濁物質濃度の分析データを格納する。例えば、取得された分析データとしては、膜濾過装置２に導入される原水Ｗ１をサンプル水として採水し、その採水したサンプル水を分析センター（不図示）で分析した分析データや、膜濾過装置２に導入される原水Ｗ１に含まれる汚濁物質濃度を濃度検出センサ（不図示）により現場測定した分析データなどがある。
【００３７】
分析センターは、サンプル水の手動分析を採水現場以外で行うものであり、送付されたサンプル水を所要の分析機器を使用して分析する施設である。サンプル水の採水と送付は、例えば、各ユーザＸ〜Ｚと膜濾過装置２のメンテナンス契約を締結している管理会社のサービスエンジニアが定期的に客先を訪問して行う。分析センターで得られた分析データは、分析センターに備え付けの専用端末を介して遠隔制御装置５に送信され、分析データ格納部５２に記録される。
一方、濃度検出センサは、サンプル水の自動分析を採水現場で行うものであり、複数の膜濾過装置２ａ〜２ｃの据付現場、具体的には原水ラインＬ１ａ〜Ｌ１ｃに設けられる機器である。濃度検出センサで測定された分析データは、ネットワーク３を介して遠隔制御装置５に送信され、分析データ格納部５２に記録される。
【００３８】
汚濁物質濃度とは、濁度や、全有機炭素濃度（以下「ＴＯＣ濃度」ともいう）を含むものである。
濁度は、ＪＩＳ  Ｋ０１０１「工業用水試験方法」において、「濁度とは水の濁りの程度を表すもので、視覚濁度、透過光濁度、散乱光濁度及び積分球濁度に区分し表示する」とされている。採水したサンプル水の濁度を分析する濁度センサ及び膜濾過装置２ａ〜２ｃにおいて濁度を検出する濁度センサとしては、例えば、ＪＩＳ  Ｋ０１０１に示されているような、試料水の濁り度合を透過光強度から判定する透過光式センサや、散乱光強度から判定する散乱光式光センサや、散乱光強度と透過光強度との比から判定する積分球式センサなどを用いることができる。
ＴＯＣ濃度は、水中に存在する有機物中の全量を炭素量で示したものである。採水したサンプル水のＴＯＣ濃度及び膜濾過装置２ａ〜２ｃにおいて検出されるＴＯＣ濃度は、全有機炭素センサ（不図示）（「ＴＯＣセンサ」ともいう）により分析又は検出される。ＴＯＣセンサは、水中の有機物中の炭素量を検出する機器である。
なお、全有機炭素濃度は、適当な換算係数を用いて基準物質（例えば、濁度の基準物質であるカオリンやホルマジン等）の濃度（単位：ｇ／ｍ３）に換算するのが望ましい。基準物質の濃度に換算することにより、汚濁物質濃度として統一的に表示したり、所定の計算式に適用したりすることが可能になる。
【００３９】
遠隔制御部５１は、遠隔地から通信により複数の膜濾過装置２ａ〜２ｃを遠隔制御する。遠隔制御部５１は、分析データ格納部５２に格納された汚濁物質濃度の増加に伴って複数の膜濾過装置２ａ〜２ｃの水透過係数が低下傾向にある場合に、管理対象となる複数の膜濾過装置２ａ〜２ｃそれぞれの水透過係数と、汚濁物質濃度に係る分析データの近時情報とに基づいて、複数の膜濾過装置２ａ〜２ｃそれぞれに対し、膜モジュール２２ａ〜２２ｃの一次側を逆洗浄する逆洗浄モードの実施頻度を増加させるように、及び／又は、膜モジュール２２ａ〜２２ｃの一次側を順洗浄する順洗浄モードの実施頻度を増加させるように、遠隔制御により設定を変更する。
【００４０】
原水Ｗ１の汚濁物質濃度は、膜モジュール２２のファウリングの原因物質に係る水質項目の一つである。ファウリングとは、原水Ｗ１に含まれる汚濁物質（例えば、微粒子、溶存鉄の酸化析出物等の懸濁物質）が膜モジュール２２の膜の表面や細孔内に沈着する現象である。原水Ｗ１の汚濁物質濃度が増加すると、ファウリングが発生しやすくなる。ファウリングが発生すると、膜の細孔が閉塞されるため、水透過係数の低下が進行する。
【００４１】
遠隔制御部５１における汚濁物質濃度の増加の判定には、濁度のみを対象にする場合と、濁度及びＴＯＣを対象にする場合とがある。
濁度のみを対象とする場合には、汚濁物質濃度を原水濁度として、原水濁度が増加したか否かの判定を行う。通常、濁度１度は、基準物質（カオリン又はホルマジン）１ｇ／ｍ３に相当する。
濁度及びＴＯＣを対象にする場合には、「汚濁物質濃度」を次の式を用いて「換算原水濁度」に置き換えることにより、換算原水濁度が増加したか否かの判定を行う。
換算原水濁度〔ｇ／ｍ３〕＝原水濁度〔ｇ／ｍ３〕＋原水ＴＯＣ〔ｇＣ／ｍ３〕×換算係数
【００４２】
膜濾過装置２の水透過係数は、膜濾過装置２ａ〜２ｃそれぞれにおいて、膜濾過制御部２３により、次の計算により求められる。膜濾過制御部２３は、予め設定されたサンプリング周期毎に、それぞれの膜濾過装置２ａ〜２ｃについて水透過係数を算出する。膜濾過制御部２３ａ〜２３ｃにより算出された膜濾過装置２ａ〜２ｃの水透過係数に関するデータは、複数の膜濾過装置２ａ〜２ｃそれぞれの不図示のマイコンのメモリや、遠隔制御装置５の不図示のデータベースなどに記憶される。
【００４３】
膜濾過制御部２３は、膜濾過装置２の膜モジュール２２に導入される原水Ｗ１の温度を検出する温度センサ（不図示）の検出温度値Ｔ、膜濾過装置２の膜モジュール２２から導出される処理水Ｗ２の流量を検出する流量センサ（不図示）の検出流量値Ｑｐ、及び膜濾過装置２の膜モジュール２２に導入される原水Ｗ１の圧力を検出する圧力センサ（不図示）の検出圧力値Ｐｄに基づいて、膜モジュールの水透過係数を算出する。
【００４４】
ここで、水透過係数の算出手法について説明する。
水透過係数は、処理水Ｗ２の流量Ｑｐ［ｍ３／ｓ］を膜面積Ａ［ｍ２］及び有効圧力［Ｐａ］Ｐｅで除した値である（後述の式（１）を参照）。水透過係数は、膜モジュール２２の透水性能を示す指標である。すなわち、水透過係数は、単位有効圧力を作用させたときに単位時間に膜の単位面積を透過する水の量を意味する。有効圧力は、操作圧力（平均操作圧力）から浸透圧差及び二次側圧力（背圧）を差し引いた圧力である（後述の式（２）を参照）。換言すると、水透過係数は、単位有効圧力当たりの透過流束でもある。透過流束は、単位時間に膜の単位面積を透過する水の量である。
【００４５】
基準温度（例えば、２５℃）における水透過係数Ｌｐ［ｍ３・ｍ−２・ｓ−１・Ｐａ−１］の演算値は、下記の式（１）及び（２）に基づいて求めることができる。
Ｌｐ＝Ｑｐ／（Ｋ・Ａ・Ｐｅ）            （１）
（但し、Ｋ：温度補正係数、Ａ：膜モジュールの膜面積、Ｐｅ：有効圧力）
Ｐｅ＝Ｐｄ−（ΔＰ１／２）−Ｐ２−Δπ＋Ｐｓ            （２）
（但し、Ｐｄ：加圧ポンプ２１の吐出圧力、ΔＰ１：膜モジュール２２の一次側における差圧、Ｐ２：膜モジュール２２の二次側における背圧、Δπ：膜モジュール２２の浸透圧差、Ｐｓ：加圧ポンプ２１の吸入側における圧力）
【００４６】
式（１）において、温度補正係数Ｋは、検出温度値Ｔの関数であり、検出温度値Ｔが基準温度に等しいときに１となる。膜面積Ａは、膜エレメントの使用本数により定まるので、予め設定した値を使用することができる。式（２）による有効圧力Ｐｅの計算において、ΔＰ１、Ｐ２、Δπ、及びＰｓの各値は、定常運転中は、ほぼ一定と看做せるため、予め設定した値を使用することができる。従って、膜モジュールの運転中に、温度センサ（不図示）の検出温度値Ｔ、流量センサ（不図示）の検出流量値Ｑｐ、及び圧力センサ（不図示）の検出圧力値Ｐｄからなる少なくとも３つのパラメータを取得すれば、基準温度における水透過係数Ｌｐを演算することができる。なお、ΔＰ１は、膜濾過装置２ａ〜２ｃがクロスフロー濾過方式の場合には所定の値を取るが、全量濾過方式の場合にはゼロとなる。
【００４７】
分析データの近時情報とは、最新データだけに限定されず、ある程度日付の古いデータ（例えば、直近Ｎ個分のデータ）も含む概念である。分析データの近時情報は、例えばサンプル水の分析センター（不図示）への送付に日数を要する場合もあることから、後述する分析データ格納部５２に格納された順序ではなく、サンプル水の採水日の順序に基づいて判断される。なお、サンプル水の分析データと、原水Ｗ１に含まれる汚濁物質濃度の検出値の分析データとが混在して分析データ格納部５２に格納されている場合においても、原水Ｗ１の検出日及びサンプル水の採水日の順序に基づいて判断される。
【００４８】
例えば、サンプル水の採水日と格納日との順序が異なる場合において、直近の２個分の分析データの平均値を近時情報として利用する場合について説明する。ここで、前回の逆洗浄モードの実施頻度の設定時又は順洗浄モードの実施頻度の設定時には、原水の汚濁物質濃度が、３０ｇ／ｍ３であったとする。
【００４９】
下記の２月８日時点において格納されている分析データのように、例えば２月８日の時点では、分析データ格納部５２に格納された分析データの格納日の順序は、日付が新しい順に、分析データＮ１、分析データＮ３である。採水日の順序は、日付が新しい順に、分析データＮ３、分析データＮ１である。
【００５０】
◎２月８日時点において格納されている分析データ
Ｎ１：採水日（１月５日）、汚濁物質濃度３０ｇ／ｍ３、格納日（１月１０日）
Ｎ３：採水日（２月２日）、汚濁物質濃度２８ｇ／ｍ３、格納日（２月７日）
【００５１】
２月１０日には、下記の２月１０日時点において格納されている分析データのように、分析データ格納部５２には、新たに２月１０日に分析データＮ２が格納された。これにより、分析データ格納部５２に格納された分析データの格納日の順序は、日付が新しい順に、分析データＮ２、分析データＮ３、分析データＮ１である。採水日の順序は、格納日の順序とは異なっており、日付が新しい順に、分析データＮ３、分析データＮ２、分析データＮ１である。
【００５２】
◎２月１０日時点において格納されている分析データ
Ｎ１：採水日（１月５日）、汚濁物質濃度３０ｇ／ｍ３、格納日（１月１０日）
Ｎ２：採水日（１月２０日）、汚濁物質濃度３４ｇ／ｍ３、格納日（２月１０日）
Ｎ３：採水日（２月２日）、汚濁物質濃度２８ｇ／ｍ３、格納日（２月７日）
【００５３】
ここで、例えば２月８日の時点では、直近の２個の分析データＮ１及び分析データＮ３の平均値（（３０＋２８）／２＝２９）が近時情報となる。２月８日の時点では、分析データＮ１及びＮ３の平均値は、前回の逆洗浄プロセスの頻度の設定時又はフラッシング運転の頻度の設更時の汚濁物質濃度３０ｇ／ｍ３から減少している。一方、例えば２月１０日の時点では、直近の２個の分析データＮ２及びＮ３が近時情報となる。２月１０日の時点では、分析データＮ２及びＮ３の平均値（（３４＋２８）／２＝３１．５）は、前回の逆洗浄モードの実施頻度の設定変更時又は順洗浄の実施頻度の設定変更時の汚濁物質濃度３０ｇ／ｍ３にから増加している。
このように、近時情報を判断するタイミングによって、サンプル水の採水日と格納日との順序が異なる場合があるが、サンプル水の採水日の順序に基づいて、サンプル水の分析データの近時情報とする。
【００５４】
遠隔制御部５１は、複数の膜濾過装置２ａ〜２ｃそれぞれに対し、膜モジュール２２の一次側を逆洗浄する逆洗浄モードの実施頻度を増加させるように、及び／又は、膜モジュール２２の一次側を順洗浄する順洗浄モードの実施頻度を増加させるように、遠隔制御により設定変更する。これにより、各洗浄モードの実施頻度を増加させる前よりも、中空糸膜の外側表面で成長したケーキ層（汚濁物質の堆積層）を効果的に洗い流すことができる。
【００５５】
ここで、逆洗浄モード及び／又は順洗浄モードの実施頻度は、いずれか一方の頻度について増加させるように設定を変更してもよいし、両方の頻度について増加させるように設定を変更してもよい。例えば、原水Ｗ１の汚濁物質濃度が急激に増え、かつ詰まりの進行も速い場合には、逆洗浄モードの実施頻度及び順洗浄モードの実施頻度の両方の頻度を共に増加させることもできる。
【００５６】
遠隔制御部５１により設定変更される逆洗浄モード及び／又は順洗浄モードの実施頻度の増加の程度は、例えば、原水Ｗ１の汚濁物質濃度の上昇度合や膜濾過装置２の水透過係数の低下の度合に応じて、適宜決定される。即ち、原水Ｗ１の汚濁物質濃度の上昇度合が大きい場合や膜濾過装置２の水透過係数の低下の度合が大きい場合には、遠隔制御部５１は、各洗浄モードの実施頻度の増加の程度を大きくするように設定の変更を行う。なお、遠隔制御装置５のマイコンのメモリ等において、原水Ｗ１の汚濁物質濃度の上昇度合や膜濾過装置２の水透過係数の低下の度合に対応した、各洗浄モードの実施頻度に関するデータテーブルを有していてもよい。
【００５７】
また、遠隔制御部５１により設定変更される逆洗浄モード及び／又は順洗浄モードの実施頻度の増加の程度は、汚濁物質の種類を考慮することもできる。例えば、汚濁物質濃度の増加の判定として濁度及びＴＯＣを対象にする場合には、濁度及びＴＯＣの両方が上昇していれば、濁度の上昇がＴＯＣの上昇によるものと考えられる。そのため、粘着性のある有機物による詰まりの進行を抑制するため、各洗浄モードの実施頻度を、濁度のみが上昇（無機系の固形物濃度が上昇）している場合よりも多く設定する。
【００５８】
また、遠隔制御部５１は、分析データ格納部５２に格納された汚濁物質濃度の増加に伴って複数の膜濾過装置２ａ〜２ｃのうちの単一のユーザが使用する一群の膜濾過装置のみの水透過係数が低下傾向にある場合に、低下傾向にある膜濾過装置に係る異常を報知するように制御する。低下傾向にある膜濾過装置に係る異常の報知は、不図示の報知部により行われる。報知部（不図示）は、遠隔制御部５１と電気的に接続されている。報知は、例えば、表示、音声、発光などのうちの一つ以上である。
【００５９】
ここで、一群の膜濾過装置とは、単一のユーザが使用する１台又は複数台の膜濾過装置を意味する。そのため、一群の膜濾過装置は、膜濾過装置が１台であってもよいし、複数台であってもよい。単一のユーザが使用する一群の膜濾過装置のみの水透過係数が低下傾向にある場合には、膜の閉塞の原因が、原水Ｗ１の水質ではなく、この一群の膜濾過装置の設備にある可能性が高いため、一群の膜濾過装置のみの異常を報知して、当該設備の点検が必要である旨の異常が報知される。
【００６０】
次に、膜濾過装置の遠隔管理制御システム１の第１動作例について説明する。図３は、本実施形態の膜濾過装置の遠隔管理制御システム１の第１動作例の処理手順を示すフローチャートである。図３に示すフローチャートの処理は、膜濾過装置の遠隔管理制御システム１の運転中において、繰り返し実行される。また、複数の膜濾過装置２ａ〜２ｃは、水処理プロセス並びに洗浄プロセス（逆洗浄モード及び／又は順洗浄モード）を実行している。
【００６１】
図３に示す膜濾過装置２ａにおけるステップＳ１２１において、膜濾過装置２ａに導入される原水Ｗ１に含まれる汚濁物質濃度を濃度検出センサ（不図示）により検出する。検出された汚濁物質濃度のデータは、分析データとして、遠隔制御装置５へ送信される。
【００６２】
遠隔制御装置５におけるステップＳ１１１において、膜濾過装置２ａのステップＳ１２１で検出された原水Ｗ１の汚濁物質濃度の分析データは、分析データ格納部５２に格納される。
【００６３】
膜濾過装置２ｂにおけるステップＳ１３１において、膜濾過装置２ｂに導入される原水Ｗ１に含まれる汚濁物質濃度を濃度検出センサ（不図示）により検出する。検出された汚濁物質濃度のデータは、分析データとして、遠隔制御装置５へ送信される。
【００６４】
遠隔制御装置５におけるステップＳ１１２において、膜濾過装置２ｂのステップＳ１３１で検出された原水Ｗ１の汚濁物質濃度の分析データは、分析データ格納部５２に格納される。
【００６５】
膜濾過装置２ｃにおけるステップＳ１４１において、膜濾過装置２ｃに導入される原水Ｗ１に含まれる汚濁物質濃度を濃度検出センサ（不図示）により検出する。検出された汚濁物質濃度のデータは、分析データとして、遠隔制御装置５へ送信される。
【００６６】
遠隔制御装置５におけるステップＳ１１３において、膜濾過装置２ｃのステップＳ１４１で検出された原水Ｗ１の汚濁物質濃度の分析データは、分析データ格納部５２に格納される。
【００６７】
遠隔制御装置５におけるステップＳ１１４において、遠隔制御装置５は、分析データ格納部５２に格納された汚濁物質濃度が増加しているか否かを判定する。ここで、遠隔制御装置５は、分析データ格納部５２に格納された汚濁物質濃度の分析データにおいて、分析データ格納部５２に格納された順序ではなく、膜濾過装置２ａ〜２ｃにおける原水Ｗ１の検出日の時系列の分析データによる近時情報に基づいて、汚濁物質濃度の平均値を算出する。例えば、近時情報として、直近の２個の分析データが使用される。具体的には、直近の２個の分析データとして、膜濾過装置２ｃにおいてステップＳ１４１で検出されたサンプル水の分析データと、膜濾過装置２ｂにおいてステップＳ１３１で検出されたサンプル水の分析データと、について、汚濁物質濃度の平均値を算出する。遠隔制御装置５により汚濁物質濃度の平均値が増加していると判定された場合（ＹＥＳ）には、処理は、ステップＳ１１５に移行する。一方、遠隔制御装置５により汚濁物質濃度の平均値が増加していないと判定された場合（ＮＯ）には、処理は終了する（ステップＳ１１１へリターンする）。
【００６８】
遠隔制御装置５におけるステップＳ１１５において、遠隔制御装置５は、複数の膜濾過装置２ａ〜２ｃそれぞれで水透過係数が低下傾向にあるか否かを判定する。遠隔制御装置５により水透過係数が低下傾向にあると判定された場合（ＹＥＳ）には、処理は、ステップＳ１１６に移行する。一方、遠隔制御装置５により水透過係数が低下傾向にないと判定された場合（ＮＯ）には、処理は終了する（ステップＳ１１１へリターンする）。
【００６９】
遠隔制御装置５におけるステップＳ１１６において、遠隔制御装置５は、複数の膜濾過装置２ａ〜２ｃのうちの一群の濾過装置のみの水透過係数が低下傾向にあるか否かを判定する。遠隔制御装置５により一群の濾過装置のみの水透過係数が低下傾向にあると判定された場合（ＹＥＳ）には、処理は、ステップＳ１１８に移行して、当該設備の点検が必要である旨の異常を報知して、処理は終了する（ステップＳ１１１へリターンする）。一方、遠隔制御装置５により一群の濾過装置のみの水透過係数が低下傾向にないと判定された場合（ＮＯ）には、処理は、ステップＳ１１７に移行する。
【００７０】
遠隔制御装置５におけるステップＳ１１７において、遠隔制御装置５は、複数の膜濾過装置２ａ〜２ｃそれぞれに対して、逆洗浄モードの実施頻度を増加させる操作、及び／又は、順洗浄モードの実施頻度を増加させる操作を実行する。
遠隔制御部５１により設定変更される各洗浄モードの実施頻度の増加の程度は、例えば、原水Ｗ１の汚濁物質濃度の上昇度合や膜濾過装置２の水透過係数の低下の度合に応じて、適宜決定される。
【００７１】
また、遠隔制御部５１により設定変更される逆洗浄モード及び／又は順洗浄モードの実施頻度の増加の程度は、汚濁物質の種類を考慮することもできる。例えば、汚濁物質濃度の増加の判定として濁度及びＴＯＣを対象にする場合には、濁度及びＴＯＣの両方が上昇していれば、濁度の上昇がＴＯＣの上昇によるものと考えられる。そのため、粘着性のある有機物による詰まりの進行を抑制するため、各洗浄モードの実施頻度を、濁度のみが上昇（無機系の固形物濃度が上昇）している場合よりも多く設定する。
【００７２】
これにより、各洗浄モードの実施頻度を増加させる前よりも、膜モジュール２２の膜に付着した汚濁物質を効果的に洗い流すことができる。ステップＳ１１７の処理の後に、遠隔制御装置５の処理は終了する（ステップＳ１１１へリターンする）。
【００７３】
膜濾過装置２ａ，２ｂ，２ｃにおけるステップＳ１２２，Ｓ１３２，Ｓ１４２において、膜濾過装置２ａ，２ｂ，２ｃの逆洗浄モードの実施頻度及び／又は順洗浄モードの実施頻度は、遠隔制御装置５の遠隔制御により設定変更される。ステップＳ１２２，Ｓ１３２，Ｓ１４２の処理の後に、膜濾過装置２ａ，２ｂ，２ｃの処理は終了する（ステップＳ１２１，Ｓ１３１，Ｓ１４１へリターンする）。
【００７４】
次に、膜濾過装置の遠隔管理制御システム１の第２動作例について説明する。図４は、本実施形態の膜濾過装置の遠隔管理制御システム１の第２動作例の処理手順を示すフローチャートである。図４に示す第２動作例は、分析データの取得方法について、図３に示す第１動作例において原水Ｗ１に含まれる汚濁物質濃度を濃度検出センサ（不図示）により検出して得るのに対して、採水された原水Ｗ１のサンプル水から分析センター（不図示）において汚濁物質濃度の分析データとして分析されて得る点において主に異なる。第２動作例は、その他の点において、第１動作例と同様である。
【００７５】
図４に示す膜濾過装置２ａにおけるステップＳ２２１において、膜濾過装置２ａに導入される原水Ｗ１のサンプル水を採水する。採水された原水Ｗ１のサンプル水は、分析センター（不図示）に送付され、原水Ｗ１の採水時点における汚濁物質濃度の分析データとして分析される。
【００７６】
遠隔制御装置５におけるステップＳ２１１において、膜濾過装置２ａのステップＳ２２１で採水された原水Ｗ１の汚濁物質濃度の分析データは、分析データ格納部５２に格納される。
【００７７】
膜濾過装置２ｂにおけるステップＳ２３１において、膜濾過装置２ｂに導入される原水Ｗ１のサンプル水を採水する。採水された原水Ｗ１のサンプル水は、分析センター（不図示）に送付され、原水Ｗ１の採水時点における汚濁物質濃度の分析データとして分析される。
【００７８】
遠隔制御装置５におけるステップＳ２１２において、膜濾過装置２ｂのステップＳ２３１で採水された原水Ｗ１の汚濁物質濃度の分析データは、分析データ格納部５２に格納される。
【００７９】
膜濾過装置２ｃにおけるステップＳ２４１において、膜濾過装置２ｃに導入される原水Ｗ１のサンプル水を採水する。採水された原水Ｗ１のサンプル水は、分析センター（不図示）に送付され、原水Ｗ１の採水時点における汚濁物質濃度の分析データとして分析される。
【００８０】
遠隔制御装置５におけるステップＳ２１３において、膜濾過装置２ｃのステップＳ２４１で採水された原水Ｗ１の汚濁物質濃度の分析データは、分析データ格納部５２に格納される。
【００８１】
遠隔制御装置５におけるステップＳ２１４において、遠隔制御装置５は、分析データ格納部５２に格納された汚濁物質濃度の平均値が増加したか否かを判定する。ここで、遠隔制御装置５は、分析データ格納部５２に格納された汚濁物質濃度の分析データにおいて、分析データ格納部５２に格納された順序ではなく、複数の膜濾過装置２ａ〜２ｃにおける原水Ｗ１の採水日の時系列の分析データによる近時情報に基づいて、汚濁物質濃度の平均値を算出する。例えば、近時情報として、直近の２個の分析データが使用される。具体的には、直近の２個の分析データとして、膜濾過装置２ｃにおいてステップＳ２４１で採水されたサンプル水の分析データと、膜濾過装置２ｂにおいてステップＳ２３１で採水されたサンプル水の分析データと、について、汚濁物質濃度の平均値を算出する。遠隔制御装置５により汚濁物質濃度の平均値が増加したと判定された場合（ＹＥＳ）には、処理は、ステップＳ２１５に移行する。一方、遠隔制御装置５により汚濁物質濃度の平均値が増加していないと判定された場合（ＮＯ）には、処理は終了する。
【００８２】
遠隔制御装置５におけるステップＳ２１５〜Ｓ２１８、膜濾過装置２ａにおけるステップＳ２２２、膜濾過装置２ｂにおけるステップＳ２３２、膜濾過装置２ｃにおけるステップＳ２４２の動作は、第１動作例の遠隔制御装置５におけるステップＳ１１５〜Ｓ１１８、膜濾過装置２ａにおけるステップＳ１２２、膜濾過装置２ｂにおけるステップＳ１３２、膜濾過装置２ｃにおけるステップＳ１４２の動作と同様であるため、その説明を省略する。
【００８３】
次に、膜濾過装置の遠隔管理制御システム１の第３動作例について説明する。図５は、本実施形態の膜濾過装置の遠隔管理制御システム１の第３動作例の処理手順を示すフローチャートである。図５に示すフローチャートの処理は、膜濾過装置の遠隔管理制御システム１の運転中において、繰り返し実行される。また、複数の膜濾過装置２ａ〜２ｃは、水処理プロセス及び逆洗浄プロセスを実行している。
図５における第３動作例は、図３及び図４における第１動作例及び第２動作例と比べて、分析データの取得方法や取得時期や取得回数が異なる。
【００８４】
図５に示す膜濾過装置２ａにおけるステップＳ３２１において、膜濾過装置２ａに導入される原水Ｗ１のサンプル水を採水する。採水された原水Ｗ１のサンプル水は、分析センター（不図示）に送付され、原水Ｗ１の採水時点における汚濁物質濃度の分析データとして分析される。
【００８５】
遠隔制御装置５におけるステップＳ３１２において、膜濾過装置２ａのステップＳ３２１で採水された原水Ｗ１の汚濁物質濃度の分析データは、例えばサンプル水の採水日から数日遅れて、分析データ格納部５２に格納される。
【００８６】
膜濾過装置２ａにおけるステップＳ３２２において、膜濾過装置２ａに導入される原水Ｗ１に含まれる汚濁物質濃度を濃度検出センサ（不図示）により検出する。検出された汚濁物質濃度のデータは、分析データとして、遠隔制御装置５へ送信される。
【００８７】
遠隔制御装置５におけるステップＳ３１１において、例えばステップＳ３１２よりも早い時期に、膜濾過装置２ａのステップＳ３２２で検出された原水Ｗ１の汚濁物質濃度の分析データは、分析データ格納部５２に格納される。
【００８８】
膜濾過装置２ｂにおけるステップＳ３３１において、膜濾過装置２ｂに導入される原水Ｗ１のサンプル水を採水する。採水された原水Ｗ１のサンプル水は、分析センター（不図示）に送付され、原水Ｗ１の採水時点における汚濁物質濃度の分析データとして分析される。
【００８９】
遠隔制御装置５におけるステップＳ３１４において、膜濾過装置２ｂのステップＳ３３１で採水された原水Ｗ１の汚濁物質濃度の分析データは、例えばサンプル水の採水日から数日遅れて、分析データ格納部５２に格納される。
【００９０】
膜濾過装置２ｂにおけるステップＳ３３２において、膜濾過装置２ｂに導入される原水Ｗ１に含まれる汚濁物質濃度を濃度検出センサ（不図示）により検出する。検出された汚濁物質濃度のデータは、分析データとして、遠隔制御装置５へ送信される。
【００９１】
遠隔制御装置５におけるステップＳ３１３において、例えばステップＳ３１４よりも早い時期に、膜濾過装置２ｂのステップＳ３３２で検出された原水Ｗ１の汚濁物質濃度の分析データは、分析データ格納部５２に格納される。
【００９２】
遠隔制御装置５におけるステップＳ３１５〜Ｓ３１９、膜濾過装置２ａにおけるステップＳ３２３、膜濾過装置２ｂにおけるステップＳ３３３、膜濾過装置２ｃにおけるステップＳ３４１の動作は、第１動作例の遠隔制御装置５におけるステップＳ１１４〜Ｓ１１８、膜濾過装置２ａにおけるステップＳ１２２、膜濾過装置２ｂにおけるステップＳ１３２、膜濾過装置２ｃにおけるステップＳ１４２の動作と同様であるため、その説明を省略する。
【００９３】
ここで、膜濾過装置２ｃにおいては、ステップＳ３４１よりも前の時点で、原水Ｗ１の汚濁物質濃度の分析データが個別には取得されていない。しかし、膜濾過装置２ｃは、予め設定された洗浄タイミングが水質変動に対応した最適な洗浄タイミングとなるように、遠隔制御装置５の遠隔制御により設定変更される。ここでは、複数の膜濾過装置２ａ〜２ｃのいずれにおいても、同一水源から原水Ｗ１が導入されている。そのため、個別の分析データが取得されていない膜濾過装置２ｃにおいても、遠隔制御により洗浄タイミングの設定を変更する。これにより、複数の膜濾過装置２ａ〜２ｃを、一群の膜濾過装置として、総合的に管理することができる。
【００９４】
本実施形態の膜濾過装置の遠隔管理制御システム１によれば、例えば、以下に示す効果が奏される。
本実施形態の膜濾過装置の遠隔管理制御システム１は、同一水源４から原水を膜モジュール２２に導入することで原水から透過水を処理水として分離する複数の膜濾過装置２ａ〜２ｃと、複数の膜濾過装置２ａ〜２ｃを遠隔制御する遠隔制御部５１と、取得された原水Ｗ１の汚濁物質濃度の分析データを格納する分析データ格納部５２と、を備え、遠隔制御部５１は、分析データ格納部５２に格納された汚濁物質濃度の増加に伴って複数の膜濾過装置２ａ〜２ｃの水透過係数が低下傾向にある場合に、管理対象となる複数の膜濾過装置２ａ〜２ｃそれぞれにおける水透過係数と、汚濁物質濃度に係る分析データの近時情報とに基づいて、複数の膜濾過装置２ａ〜２ｃそれぞれに対し、膜モジュール２２の一次側を逆洗浄する逆洗浄モードの実施頻度を増加させるように、及び／又は、膜モジュール２２の一次側を順洗浄する順洗浄モードの実施頻度を増加させるように、遠隔制御により設定変更する。
【００９５】
そのため、同一水源４の原水水質が変動した場合に、複数の膜濾過装置２ａ〜２ｃにおいて、逆洗浄モードの実施頻度を増加させ及び／又は順洗浄モードの実施頻度を増加させて、複数の膜濾過装置２ａ〜２ｃを、一群の膜濾過装置として、総合的に管理することができる。この結果、複数の膜濾過装置の全てにおいて、最適な頻度での膜洗浄が常に行われることになり、膜モジュール２２の透過流束の低下を抑制して、所定範囲に維持することができる。
【００９６】
また、本実施形態の膜濾過装置の遠隔管理制御システム１においては、遠隔制御部５１は、分析データ格納部５２に格納された汚濁物質濃度の増加に伴って複数の膜濾過装置２ａ〜２ｃのうちの一群の膜濾過装置のみの水透過係数が低下傾向にある場合に、低下傾向にある膜濾過装置に係る異常を報知するように制御する。
【００９７】
そのため、一群の膜濾過装置のみの水透過係数が低下傾向にある場合に、一群の膜濾過装置のみの異常を報知して、当該設備の点検が必要である旨の異常を報知することができる。
【００９８】
以上、本発明の好適な実施形態について説明したが、本発明は、前述した実施形態に限定されることなく、種々の形態で実施することができる。
例えば、前述の実施形態においては、複数の膜濾過装置として、３台の膜濾過装置について説明したが、これに制限されない。本発明は、同一水源からの原水が導入される膜濾過装置群の遠隔制御を対象にしているので、数十台から数百台規模の膜濾過装置群に対しても適用することが可能となっている。
【００９９】
また、前述の実施形態においては、複数の膜濾過装置２ａ〜２ｃの全ての装置の逆洗浄モードの実施頻度の増加、及び／又は、順洗浄モードの実施頻度の増加を遠隔制御により設定変更したが、これに制限されない。複数の膜濾過装置２ａ〜２ｃの一部の装置の逆洗浄モードの実施頻度の増加、及び／又は、順洗浄モードの実施頻度の増加を遠隔制御により設定変更してもよい。
【０１００】
また、前述の実施形態においては、近時情報として、直近の２個の分析データを使用する例について説明したが、これに制限されず、例えば、直近の３個以上の分析データを使用してもよい。
【０１０１】
また、前述の実施形態において、第１動作例においては、原水の汚濁物質濃度の検出の回数が装置毎に各１回であって、分析データを取得して分析データ格納部５２に格納する回数は、計３回であった。第２動作例においては、サンプル水の採水の回数が装置毎に各１回であって、分析データを取得して分析データ格納部５２に格納する回数は、計３回であった。第３動作例においては、膜濾過装置２ａにおいてサンプル水の採水の回数及び原水の汚濁物質濃度の検出の回数が各１回であり、膜濾過装置２ｂにおいてサンプル水の採水の回数及び原水の汚濁物質濃度の検出の回数が各１回であって、分析データを取得して分析データ格納部５２に格納する回数は、計４回であった。しかし、分析データを分析データ格納部５２に格納する回数は、これに制限されない。本発明は、複数の膜濾過装置における分析データが得られたときには、分析データの取得の回数に制限はなく、複数の膜濾過装置における分析データを、逐次、分析データ格納部５２に格納する。
【符号の説明】
【０１０２】
１  膜濾過装置の遠隔管理制御システム
２、２ａ〜２ｃ  膜濾過装置
２２、２２ａ〜２２ｃ  膜モジュール
４  水源
５１  遠隔制御部
５２  分析データ格納部
Ｗ１  原水
Ｗ２、Ｗ２ａ〜Ｗ２ｃ  処理水
【図１】
2015231607.tif 000003
【図２】
2015231607.tif 000004
【図３】
2015231607.tif 000005
【図４】
2015231607.tif 000006
【図５】
2015231607.tif 000007